(57)【特許請求の範囲】
【請求項１】
エレベータの乗場出入口上部に設けられ、火災発生時に防火防煙スクリーンが下降して前記乗場出入口を塞ぐように構成されたエレベータ用防火防煙シャッター装置において、
前記防火防煙スクリーンの下端部に設けられた煙感知器と、
前記防火防煙スクリーンを下降の途中で停止させるための停止手段とを備え、  
火災発生時に、前記防火防煙スクリーンを徐々に下降させながら、エレベータ乗場の天井部から充満して下降してくる煙の高さ位置を前記煙感知器で検知し、検出した高さより任意の寸法下方まで前記防火防煙シャッターを下降させてから、前記停止手段により前記防火防煙シャッターを停止させるように構成したことを特徴とするエレベータ用防火防煙シャッター装置。
【請求項２】
停止手段は回転検出装置を備え、前記回転検出装置は、煙感知器が煙を感知しなくなった位置から、更に前記防火防煙スクリーンが所定寸法下降したことを検出した時、前記防火防煙スクリーンの下降を停止することを特徴とする請求項１記載のエレベータ用防火防煙シャッター装置。
【請求項３】
下降の途中で停止中の防火防煙スクリーンが持上げられた時、エレベータのかご呼びを登録し、かごを当該乗場階に向けて運転させるようにしたことを特徴とする請求項１又は請求項２記載のエレベータ用防火防煙シャッター装置。
【請求項４】
下降の途中で停止中の防火防煙スクリーンが持上げられた時、停止手段の回転検出装置の逆方向への回転を検出してエレベータのかご呼びを登録し、かごを当該乗場階に向けて運転させるようにしたことを特徴とする請求項２記載のエレベータ用防火防煙シャッター装置。
【請求項５】
煙感知器は、防火防煙スクリーンの下端部のスクリーンおもりに装備したことを特徴とする請求項１〜請求項４のいずれかに記載のエレベータ用防火防煙シャッター装置。
【請求項６】
煙感知器に加えて熱感知器を、防火防煙スクリーンの下端部のスクリーンおもりに装備したことを特徴とする請求項５記載のエレベータ用防火防煙シャッター装置。
【請求項７】
請求項１〜請求項６のいずれかに記載のエレベータ用防火防煙シャッター装置において、乗場床面からの煙の高さ位置が所定の高さよりも下方となった時、エレベータは火災時管制運転に切り替わり、防火防煙スクリーンを乗場床面まで下降させるようにしたことを特徴とするエレベータ装置。
【請求項８】
請求項１〜請求項６のいずれかに記載のエレベータ用防火防煙シャッター装置において、防火防煙スクリーンが下降の途中で停止し、かつ利用者がエレベータ乗場に接近してきた時、スクリーン持上げ操作を促すアナウンスを行うことを特徴とするエレベータ装置。
【請求項９】
請求項１〜請求項６のいずれかに記載のエレベータ用防火防煙シャッター装置において、下降の途中で停止中の防火防煙スクリーンが持上げられた時、エレベータの監視盤に避難者が居ることを伝えるための信号を送信することを特徴とするエレベータ装置。
【発明の詳細な説明】
【技術分野】
【０００１】
この発明は、エレベータの乗場出入口に設けられるエレベータ用防火防煙シャッター装置及びそれを備えたエレベータ装置に関するものである。
【背景技術】
【０００２】
火災時に最も怖いのは煙であり、その拡散した煙は天井面から徐々に下降してくる。従来のエレベータ用防火防煙シャッター装置は、エレベータ乗場の天井部分に設置されている火災感知器からの信号で自動的に下降を開始するようになっている（例えば、特許文献１参照）。
また、エレベータに火災時管制機能が設けられている場合、例えば、ＪＥＡＳ−Ａ４０８「防火設備との連動管制運転方式に関する標準」に示される如く、火災感知の直後に、エレベータは避難階に直行し、運転を停止する。
【０００３】
【特許文献１】特開２００２−３０６６２２号公報
【発明の開示】
【発明が解決しようとする課題】
【０００４】
従来のエレベータ用防火防煙シャッター装置では、火災時は火災時管制運転となり、シャッター（スクリーン）が乗場床面まで完全に下降するため、エレベータを利用して避難することはできない。そのため、火災階に避難者が取り残され、まだエレベータで避難できる状態、例えば乗場の天井部分に煙が進入してきた初期の段階であった場合でも、エレベータは避難用として運転することができないという問題があった。
【０００５】
この発明は上記のような課題を解決するためになされたもので、火災時に避難用エレベータとして最大限運行可能なシステムとするため、天井部分から充満して下降してきた煙が乗場床面から任意の高さより上にある場合は、防火防煙スクリーンの下降を制御して、煙の高さ位置より任意の寸法下方の高さ位置までスクリーンを下降して停止させるエレベータ用防火防煙シャッター装置を提供するものである。
【０００６】
また、防火防煙スクリーンが途中で停止しているときは、スクリーンを持上げてかごに乗り込めるようにしたエレベータ用防火防煙シャッター装置を提供するものである。
【０００７】
さらに、天井部分から充満して下降してきた煙が乗場床面から任意の高さより下方の場合は、エレベータは火災時管制運転に切り替わり、防火防煙スクリーンは乗場床面まで下降するようにしたエレベータ装置を提供するものである。
【課題を解決するための手段】
【０００８】
この発明に係るエレベータ用防火防煙シャッター装置は、エレベータの乗場出入口上部に設けられ、火災発生時に防火防煙スクリーンが下降して乗場出入口を塞ぐように構成されたものにおいて、防火防煙スクリーンの下端部に設けられた煙感知器と、防火防煙スクリーンを下降の途中で停止させるための停止手段とを備え、火災発生時に、防火防煙スクリーンを徐々に下降させながら、エレベータ乗場の天井部から充満して下降してくる煙の高さ位置を煙感知器で検知し、検出した高さより任意の寸法下方まで防火防煙シャッターを下降させてから、停止手段により防火防煙シャッターを停止させるように構成したものである。
【０００９】
また、この発明に係るエレベータ装置は、乗場床面からの煙の高さ位置が所定の高さよりも下方となった時、エレベータは火災時管制運転に切り替わり、防火防煙スクリーンを乗場床面まで下降させるようにしたものである。
【発明の効果】
【００１０】
この発明によれば、エレベータが火災時管制運転に入りまでの時間を最大限遅くできるので、火災の初期段階に、避難者がいればエレベータによる救出が可能となる。
【発明を実施するための最良の形態】
【００１１】
実施の形態１.
図１はこの発明の実施の形態１におけるエレベータ用防火防煙シャッター装置を示す側断面図、図２は図１の矢視Ａ方向から見た乗場の正面図、図３は図２のＢ−Ｂ線に沿った断面図、図４は防火防煙スクリーンが下降した状態を示す図１相当図、図５は防火防煙スクリーンが下降した状態を示す図２相当図、図６は防火防煙スクリーン装置の要部構成を示す斜視図、図７は防火防煙スクリーンボックス内の構造を上方から見た平面図、図８は図７のＥ−Ｅ線に沿った断面図、図９は防火防煙スクリーンが下降する時の状態を示す図８相当図、図１０は図７のＰ−Ｐ線に沿った断面図、図１１は防火防煙スクリーンが下降する時の状態を示す図１０相当図、図１２は防火防煙スクリーンが持上げられた時の状態を示す図８相当図、図１３は防火防煙スクリーンが持上げられた時の状態を示す図１０相当図、図１４はこの発明の実施の形態１におけるエレベータ用防火防煙シャッター装置の動作を示すフローチャートである。
【００１２】
図１〜図６において、１はエレベータのかご、２はかごの戸、３は乗場の戸、４は乗場出入口を構成する乗場三方枠の縦枠、５は乗場三方枠の幕板、６は幕板５の背面に設置された防火防煙スクリーンボックス、７は防火防煙スクリーン、８は防火防煙スクリーン７の下端部に取り付けられたスクリーンおもり、９はスクリーンおもり８に取り付けられた煙感知器、１０は縦枠４に対向して設けられたスクリーンガイド、１１は手動閉鎖装置、１２は巻取りシャフト、１３はスクリーン制御ボックス、１４はエレベータ乗場の天井部、２０はエレベータ乗場の床面、２１は火災時に乗場の天井面１４から徐々に下降してくる煙である。
【００１３】
次に、上記防火防煙スクリーンボックス６の概略構成を図７により説明する。
防火防煙スクリーン７はスクリーン巻取りロール３１に巻き付けられている。スクリー
ン巻取りロール３１の両端にシャフト３２が突出している。スクリーン巻取りロール３１
の両端に突出しているシャフト３２は支持金３３で軸支される。スクリーン巻取りロール
３１の両端に突出しているシャフト３２に直結して、スクリーン下降調速装置３４、ラチ
ェット装置４０、および回転検出装置６０が設けられている。防火防煙スクリーン７は一
定の速度で下降するように、スクリーン下降調速装置３４を装備している。一般的に、防
火防炎スクリーン７に装備されているため、詳細な説明は省略する。防火防煙スクリーン
７を持上げたときは巻取り機構により、スクリーン巻取りロール３１に巻き付けられる。
一般的に、防火防煙スクリーン７に装備されているため、詳細な説明は省略する。また、
防火防煙スクリーン７が勝手に下降しないよう、ラチェット機構４０が装備されている。
なお、一般的に、エレベータにおける防火防煙シャッターにラチェット機構は装備されて
おり、火災時にはラチェットが開放されスクリーンが下降する。また、保守・点検時に乗
場などに設置された手動閉鎖装置１１からワイヤー等を介してラチェットの係合、開放が
行えるようになっている。スクリーン巻取りロール３１から突出しているシャフト３２の
一方に、スクリーン下降調速装置３４（機構の詳細は省略）が装備されている。同様に、
シャフト３２の一方にラチェット装置４０が装備されている。また同様に、シャフト３２
の一方に回転検出装置６０が装備されている。
【００１４】
次に、上記ラチェット装置４０の概略構成を図８により説明する。
この発明の防火防煙シャッター装置における作動等の構成は、下記のようなラチェット装置４０とすることで達成できる。防火防煙スクリーン７の下端のスクリーンおもり８により防火防煙スクリーン７は矢印Ｆ方向に引っ張られており、ラチェット４１は常に矢印Ｇ方向に回転力が掛かっている。これにより、図８に示すように、常時はレバー４２にラチェット４１が係合されていて、防火防煙スクリーン７が矢印Ｆ方向に下降できない状態である。この状態は、防火防煙スクリーン７が全く下降していない状態、もしくはスクリーンが途中で停止している状態、もしくはスクリーンが完全に乗場床面２０まで降りているときの状態、のいずれかの場合である。また、シャフト３２にラチェット４１が嵌合されている。このラチェット４１に係合するレバー４２は固定軸４３を回転中心として回動可能となっている。レバー４２の固定軸４３の反ラチェット側に連結具４４がピン４５で連結されている。連結具４４と電磁アクチュエータ４６とがワイヤー４７で連結されている。電磁アクチュエータ４６の端部はピン４８で固定金具４９に回転可能に連結されている。電磁アクチュエータ４６は制御装置（図示せず）からの制御に基づく作動電源によりロッド４６ａが伸縮する。図８はロッド４６ａが伸びている状態である。５０は電磁アクチュエータ４６に接続されたケーブルである。また、レバー４２の固定軸４３と連結具４４との間のレバー４２に設けられた穴５１に引っ張りバネ５２が係止され、引っ張りバネ５２の反穴５１側は固定具５３に係止されており、引っ張りバネ５２の引っ張り力により、レバー４２は常にレバー４２の先端がラチェット４１に係合するように付勢されている。
【００１５】
図９は防火防煙クリーン７が下降する場合を示しており、火災時や、保守点検等に、ラチェット４１に係合されていたレバー４２の係合を外し、防火防煙スクリーン７を下降させる時の状態を示す。
火災発生時（図１４のステップＳ１参照）は制御装置（図示せず）からの作動電源によ
り電磁アクチュエータ４６のロッド４６ａを吸引する（引込める）。電磁アクチュエータ
４６のロッド４６ａが吸引され、連結されているワイヤー４７が矢印Ｈ方向に引き上げら
れると、レバー４２のピン４５側が引張りバネ５２の引っ張り力に抗して固定軸４３を回
転中心として引き上げられる。レバー４２のラチェット４１側先端部のラチェット４１と
の係合が外れ、スクリーン巻取りロール３１に巻かれた防火防煙スクリーン７が該スクリ
ーン７の下端のスクリーンおもり８の重量により矢印Ｆ方向に下降する（図１４のステッ
プＳ２参照）。なお、防火防煙スクリーン７はスクリーン下降調速装置３４（図示せず）
によりほぼ一定の速度で下降する。防火防煙スクリーン７はスクリーンおもり８に取り付
けた煙感知器９により、図４に示すように、乗場ホールの天井部１４から充満して下降し
てくる煙２１を検知しながら下降する（図１４のステップＳ３及びＳ４参照）。図４に示
すように、煙感知器９が煙を感知しなくなった高さ位置から、防火防煙スクリーン７を更
に所定のＤ寸法下降させた後、防火防煙スクリーン７をその高さ位置で途中停止させる（
図１４のステップＳ５及びＳ６参照）。なお、所定のＤ寸法下降の手段は後述する。
図４に示すように、防火防煙スクリーン７が途中で停止した状態において、避難者が防
火防煙スクリーン７を手で持上げたことを検知したら、エレベータかごの呼びが登録され
、エレベータかごが当該階に向かって、避難用として運転させることができる（図１４の
ステップＳ７及びＳ８参照）。また、防火防煙スクリーン７は再度下降し、煙感知器９が
煙を感知しなくなった高さ位置から、防火防煙スクリーンを更に所定のＤ寸法下降させた
後、防火防煙スクリーン７をその高さ位置で停止させる（図１４のステップＳ７及びＳ９
参照）。また、乗場床面２０からの煙の高さ位置が所定の高さより下方となったら、エレ
ベータは火災時管制運転に切り替わり、防火防煙スクリーン７は乗場床面２０まで完全に
下降させてエレベータを利用できないようにする（図１４のステップＳ１０参照）。
【００１６】
次に、回転検出装置６０の概略構成を図１０、図１１により説明する。
シャフト３２に回転検出器６０のカム６１が嵌合されている。スイッチ６２と、カム６１との取合いが図１０に示すような状態に配設されている。スイッチ６２は、スイッチレバー６２ａが矢印Ｌ方向（正方向）に回転したときはスイッチ６２の接点Ｌが、また矢印Ｍ方向（逆方向）に回転したときはスイッチ６２の接点Ｍが、「入」となるように構成されたものである。
図１１は防火防煙クリーン７が下降する場合を示しており、防火防煙スクリーン７が下降する際、カム６１が矢印Ｇ方向に回転し、カム６１の凸部６１ａがスイッチ６２のスイッチレバー６２ａを蹴り上げ、矢印Ｌ方向に回転させた状態を示す。スイッチレバー６２ａが矢印Ｌ方向に回転すると、スイッチの接点Ｌが「入」となる。ここで、火災時に防火防煙スクリーン７は下降しながら、スクリーンおもり８に取り付けた煙感知器９により天井部１４から充満して下降してきた煙を感知するが、煙感知器９が煙を感知しなくなったら、天井部１４から充満して下降してきた煙の高さ位置は「煙感知器９が煙を感知しなくなった」位置まで、と判断する。その「煙感知器９が煙を感知しなくなった」位置から、例えばカム６１の凸部６１ａによるスイッチレバー６２ａが矢印Ｌ方向に６回回転したら、つまり、スイッチの接点Ｌが６回「入」となったら（スクリーン巻取りロール３１が、ほぼ１回転したら）、図８に示すように、電磁アクチュエータ４６のロッド４６ａを押出して、ラチェット４１にレバー４２を係合させてスクリーン巻取りロール３１の回転を阻止して防火防煙スクリーン７の下降を途中で停止させる。そして、これが防火防煙クリーン７を下降の途中で停止させるための停止手段である。
【００１７】
次に、火災時に当該階からエレベータで避難する利用者がある場合について説明する。
エレベータで避難しようとする利用者は、途中で停止している防火防煙スクリーン７のお
もり部を上方に持上げる（図１４のステップＳ７参照）。防火防煙スクリーン７を持上げ
ると、巻取り機構（一般的に、スクリーンに装備されているため、具体的説明は省略する
。例えば、電気掃除機のコード巻取り機構みたいなもの）により、スクリーン巻取りロー
ル３１に巻き付けられる。このとき、ラチェット４１は図１２に示すように、矢印Ｋ方向
に回転する。レバー４２は引っ張りバネ５２の張力に抗して矢印Ｊ方向に回動して逃げる
。このとき、電磁アクチュエータ４６のロッド４６ａが押出された状態であっても、ワイ
ヤー４７は可撓性があるため、図１２に示すように屈曲することで「逃がす」ことができ
る。このときの回転検出装置６０は図１３のような状態となる。つまり、防火防煙スクリ
ーン７を持上げることにより、カム６１は矢印Ｋ方向に回転する。カム６１の凸部６１ａ
がスイッチレバー６２ａを蹴り上げ、矢印Ｍ方向（逆方向）に回転させる。スイッチレバ
ー６２ａが矢印Ｍ方向に回転すると、スイッチの接点Ｍが「入」となる。そこで、スイッ
チ６２の接点Ｍが「入」となった場合は、利用者が防火防煙スクリーン７を持上げてエレ
ベータで避難するものと判断し、エレベータかごの呼びを登録して、かごを当該階に向か
わせる（図１４のステップＳ８参照）。利用者がかごに乗り込んでエレベータの戸が閉ま
った後、防火防煙スクリーン７は再度煙の高さ位置に応じて一定の高さの位置で停止する
（図１４のステップＳ５及びＳ６参照）。さらに煙が下降すると、防火防煙スクリーン７
は煙を感知しない高さ位置から所定のＤ寸法下降させた後、停止させる。乗場床面２０か
ら煙の高さが、所定の位置（例えば乗場床面２０から１ｍの高さ）となるまでは、上記の
スクリーン下降を繰り返す（図１４のステップＳ９参照）。そして、乗場ホールの天井部
１４から充満して下降してくる煙の高さ位置が、乗場床面２０から例えば１ｍ以下の高さ
となったら、エレベータは火災時管制運転に切り替わり、防火防煙スクリーン７を乗場床
面２０まで下降させることにより、エレベータでの避難を不可とさせる（図１４のステッ
プＳ１０参照）。
上記の制御の方法として、例えば、防火防煙スクリーン７が下降していない通常の状態
から任意の高さ位置（図４のＣ寸法が例えば１ｍのとき）まで下降したときまでの、図１
１に示すカム６１の凸部６１ａによりスイッチレバー６２ａが矢印Ｌ方向に仮に３０回蹴
り上げられたとすると（つまり、スイッチ６２の接点Ｌが３０回「入」となったとすると）、乗場ホールの天井部１４から充満して下降してくる煙の高さ位置が、乗場床面２０
から１ｍの高さとなったと判断し、エレベータは火災時管制運転に切り替わり、防火防煙
スクリーン７を乗場床面２０まで下降させ、エレベータでの避難を不可とする。
上記の、例えば、利用者が防火防煙スクリーン７を持上げたときなど（エレベータで避難しようとしている利用者がいることなど）、防火防煙シャッターの作動状態等がエレベータ監視盤で確認できるように構成する。なお、防火防煙スクリーン７は停止中でなく  、下降の途中であっても、防火防煙スクリーン７を持上げれば同様の動作が行われることはもちろんである。
【００１８】
実施の形態２.
上記実施の形態１では、防火防煙スクリーン７の下端のスクリーンおもり８に煙感知器９を取り付けたが、これとは別に熱感知器を取り付けても良いし、煙感知器９の代わりに熱感知器を取り付けても良い。これにより、煙の高さ位置の検出のみでなく、或いは煙の高さ位置の検出に代わり、エレベータ乗場の温度を検知してエレベータの運転が可能かどうか判断することができる。
【００１９】
実施の形態３.
火災時に、防火防煙スクリーン７が途中で停止している時に利用者がエレベータ乗場に
接近してきた場合、例えば「スクリーンを持上げるとエレベータが来ます」などとアナウ
ンスを行うようにすると良い。これにより、スクリーンを持上げるとエレベータかごの呼
び登録がされることを利用者に認識させて、利用者が当該乗場から容易にエレベータで避
難できるようにすることが可能である。
【００２０】
実施の形態４.
火災時に、防火防煙スクリーン７が降下した後、手動で持上げられた場合、エレベータ
に自動的に乗場呼びを発生させるだけでなく、エレベータの監視盤に避難者が居ることを
伝えるための信号を送信するようにすることもできる。これにより、スクリーンを持上げ
るとエレベータかごの呼び登録がされることを利用者に認識させて、利用者が当該乗場か
ら容易にエレベータで避難できるようにすることが可能である。
【図面の簡単な説明】
【００２１】
【図１】この発明の実施の形態１におけるエレベータ用防火防煙シャッター装置を示す側断面図である。
【図２】図１の矢視Ａ方向から見た乗場の正面図である。
【図３】図２のＢ−Ｂ線に沿った断面図である。
【図４】防火防煙スクリーンが下降した状態を示す図１相当図である。
【図５】防火防煙スクリーンが下降した状態を示す図２相当図である。
【図６】防火防煙スクリーン装置の要部構成を示す斜視図である。
【図７】防火防煙スクリーンボックス内の構造を上方から見た平面図である。
【図８】図７のＥ−Ｅ線に沿った断面図である。
【図９】防火防煙スクリーンが下降する時の状態を示す図８相当図である。
【図１０】図７のＰ−Ｐ線に沿った断面図である。
【図１１】防火防煙スクリーンが下降する時の状態を示す図１０相当図である。
【図１２】防火防煙スクリーンが持上げられた時の状態を示す図８相当図である。
【図１３】防火防煙スクリーンが持上げられた時の状態を示す図１０相当図である。
【図１４】この発明の実施の形態１におけるエレベータ用防火防煙シャッター装置の動作を示すフローチャートである。
【符号の説明】
【００２２】
１  かご
２  かごの戸
３  乗場の戸
４  乗場三方枠の縦枠
５  乗場三方枠の幕板
６  防火防煙スクリーンボックス
７  防火防煙スクリーン
８  スクリーンおもり
９  煙感知器
１０  スクリーンガイド
１１  手動閉鎖装置
１２  巻取りシャフト
１３  スクリーン制御ボックス  
１４  乗場の天井部
２０  乗場の床面
２１  煙
３１  スクリーン巻取りロール
３２  シャフト
３３  支持金
３４  スクリーン下降調速装置
４０  ラチェット装置
４１  ラチェット
４２  レバー
４３  固定軸
４４  連結具
４５、４８  ピン
４６  電磁アクチュエータ
４６ａ  ロッド
４７  ワイヤー
４９、５３  固定金具
５０  ケーブル
５１  穴
５２  引っ張りバネ
６０  回転検出装置
６１  カム
６２  スイッチ
６２ａ  スイッチレバー
【図１】
0004788337.tif 000002
【図２】
0004788337.tif 000003
【図３】
0004788337.tif 000004
【図４】
0004788337.tif 000005
【図５】
0004788337.tif 000006
【図６】
0004788337.tif 000007
【図７】
0004788337.tif 000008
【図８】
0004788337.tif 000009
【図９】
0004788337.tif 000010
【図１０】
0004788337.tif 000011
【図１１】
0004788337.tif 000012
【図１２】
0004788337.tif 000013
【図１３】
0004788337.tif 000014
【図１４】
0004788337.tif 000015